(57)【特許請求の範囲】
【請求項１】
駆動源(9)によりカムプレート(7)を尾筒(1)を有する砲身(2)の軸方向に沿って直線往復駆動させ、前記カムプレート(7)の上面に形成されたカム溝(8)に係合するローラ(6)を介して前記ローラ(6)を有する薬室ドラム(4)を回動させ、前記カムプレート(7)と連動してランマ(10a、10b)を作動させ、前記薬室ドラム(4)内の薬室(11a、11b)に弾薬(12a、12b)を装填するようにした機関砲の弾薬装填機構において、前記ローラ(6)は、ピン(5)を介して前記薬室ドラム(4)の下部に設けられ、前記薬室(11a、11b)は２個よりなり、前記カム溝(8)は前記軸方向からみて弧状をなし、前記カムプレート(7)の直線往復駆動により前記弧状をなす前記カム溝(8)内で前記ローラ(6)が前記ピン(5)と共に移動し、前記カム溝(8)は前記カムプレート(7)の直線往復運動を回転運動に変換し前記ローラ(6)及びピン(5)を介して前記薬室ドラム(4)に対して往復回動動作を与え、前記薬室ドラム(4)は、前記尾筒(1)内で軸支部(20)を介して前記砲身(2)の軸方向と異なる方向の有限角範囲内で往復回動すると共に、前記薬室ドラム(4)はＴ字型をなしている構成としたことを特徴とする機関砲の弾薬装填機構。
【発明の詳細な説明】
【０００１】
【発明の属する技術分野】
本発明は、機関砲の弾薬装填機構に関し、特に、２個の薬室を有する薬室ドラムを有限角の範囲内で往復回動させて発射及び装填を行い、揺動角を狭くかつ駆動源を小型化するための新規な改良に関する。
【０００２】
【従来の技術】
従来、用いられていたこの種の機関砲の弾薬装填機構としては、例えば、図３及び図４で示される構成を挙げることができる。
すなわち、図３及び図４において符号１で示されるものは尾筒であり、この尾筒１には砲腔３を有する砲身２が設けられている。
前記尾筒１内には、４ケ所の薬室１１ａ〜１１ｄを有する薬室ドラム４が回転自在に設けられ、この薬室ドラム４の外周にはピン５で保持されたローラ６が設けられていると共に、このローラ６は砲架（図示せず）に設けられ駆動源９により直線往復移動自在なカムプレート７のカム溝８に係合している。
【０００３】
前記カム溝８は、カムプレート７の直線往復移動を回転運動に変換して薬室ドラム４を回転することができるように構成されている。
また、前記カムプレート７にはアーム１０ａを介してランマ１０が設けられ、このランマ１０によって薬室１１ａ〜１１ｄに対する弾薬１２の装填を行うことができるように構成されている。
【０００４】
次に、動作について述べる。まず、駆動源９を作動させることにより、カムプレート７は間欠往復運動し、カム溝８はローラ６及びピン５を介して薬室ドラム４に対して一定方向の間欠回転動作を与える。
前記薬室１１ａに装填された弾薬１２は２回の間欠回転すなわち１８０度の回転によって砲腔３と整合する発射位置１３に達し、図示しない発射機構を介して弾が発射される。
【０００５】
【発明が解決しようとする課題】
従来の機関砲の弾薬装填機構は、以上のように構成されていたため、次のような課題が存在していた。
すなわち、薬室ドラムには４個の薬室が形成されて１回転するため、１回の間欠回転に要する回転角が９０度と広く、大型のモータ等を用いた駆動源を必要とすると共に、小型化が困難であった。
【０００６】
本発明は、以上のような課題を解決するためになされたもので、特に、２個の薬室を有する薬室ドラムを有限角の範囲内で往復回動させて発射及び装填を行い揺動角を狭くかつ駆動源を小型化するようにした機関砲の弾薬装填機構を提供することを目的とする。
【０００７】
【課題を解決するための手段】
本発明による機関砲の弾薬装填機構は、駆動源によりカムプレートを尾筒を有する砲身の軸方向に沿って直線往復駆動させ、前記カムプレートの上面に形成されたカム溝に係合するローラを介して前記ローラを有する薬室ドラムを回動させ、前記カムプレートと連動してランマを作動させ、前記薬室ドラム内の薬室に弾薬を装填するようにした機関砲の弾薬装填機構において、前記ローラは、ピンを介して前記薬室ドラムの下部に設けられ、前記薬室は２個よりなり、前記カム溝は前記軸方向からみて弧状をなし、前記カムプレートの直線往復駆動により前記弧状をなす前記カム溝内で前記ローラが前記ピンと共に移動し、前記カム溝は前記カムプレートの直線往復運動を回転運動に変換し前記ローラ及びピンを介して前記薬室ドラムに対して往復回動動作を与え、前記薬室ドラムは、前記尾筒内で軸支部を介して前記砲身の軸方向と異なる方向の有限角範囲内で往復回動すると共に、前記薬室ドラムはＴ字型をなしている構成である。
【０００８】
【発明の実施の形態】
以下、図面と共に本発明による機関砲の弾薬装填機構の好適な実施の形態について説明する。尚、従来例と同一又は同等部分には同一符号を用いて説明する。  図１及び図２において符号１で示されるものは尾筒であり、この尾筒１には砲腔３を有する砲身２が設けられている。
前記尾筒１内には、２ケ所の薬室１１ａ、１１ｂを有する薬室ドラム４が軸支部２０を中心として左右すなわち、砲身２の軸方向と異なる方向に４５度（有限角範囲内）往復回動できるように構成されている。
【０００９】
前記薬室ドラム４は、軸方向から見た場合、図２で示されるように、Ｔ字型の形状をなしており、この薬室ドラム４の両側位置に前記各薬室１１ａ、１１ｂが配設されている。
前記薬室ドラム４の下部には１個のローラ６がピン５によって設けられ、このローラ６は砲架（図示せず）に設けられた駆動源９により前記砲身２の軸方向に沿って直線往復移動自在に構成されたカムプレート７の上面に形成されたカム溝８に係合している。
【００１０】
前記カム溝８は、カムプレート７の直線往復運動を回転運動に変換して薬室ドラム４を往復回動（揺動）できるように前記軸方向からみた場合、弧状をなす周知の溝形状にて構成、前記ローラ６がピン５と共にこのカム溝８内で移動するように構成されている。
【００１１】
また、前記カムプレート７には、このカムプレート７の動作と同期しアーム１０ａを介してランマ１０ａ、１０ｂが交互に各薬室１１ａ、１１ｂに対応して第１、第２薬室１２ａ、１２ｂを装填することができるように周知の構造によって構成されている。
【００１２】
次に、動作について述べる。まず、駆動源９を作動させることにより、カムプレート７は間欠往復運動し、カム溝８はローラ６及びピン５を介して薬室ドラム４に対して往復回動（揺動）動作を与える。
図２の実線で示される位置では、薬室ドラム４の第１薬室１１ａが第１ランマ１０ａに対応し、この状態では第１弾薬１２ａが第１薬室１１ａ内に装填されると共に、発射位置１３では第２弾薬１２ｂが発射される。
また、点線で示される位置では、第２薬室１１ｂ内に第２弾薬１２ｂが装填されると共に、第１弾薬１２ａが発射位置１３にて発射される。
【００１３】
【発明の効果】
本発明による機関砲の弾薬装填機構は、以上のように構成されているため、次のような効果を得ることができる。
すなわち、薬室ドラムがＴ字型をなすと共に２個の薬室のみで往復回動（揺動）するだけであるため、従来の薬室ドラムに比べると、揺動角を小さく、形状が小型でかつ軽量であるため、全体形状の小型化及び軽量化、さらには、薬室ドラムの軽量化によって駆動源を小型化し、低コスト化を達成することができる。
【図面の簡単な説明】
【図１】  本発明による機関砲の弾薬装填機構を示す構成図である。
【図２】  図１の右側面図である。
【図３】  従来の機関砲の弾薬装填機構を示す構成図である。
【図４】  図３の右側面図である。
【符号の説明】
１    尾筒
２    砲身
４    薬室ドラム
５ ピン
６    ローラ
７    カムプレート
８    カム溝
９    駆動源
１０ａ、１０ｂ    ランマ
１１ａ、１１ｂ    薬室
１２ａ、１２ｂ    弾薬
２０    軸支部
【図１】
0003886370.tif 000002
【図２】
0003886370.tif 000003
【図３】
0003886370.tif 000004
【図４】
0003886370.tif 000005